(57)【要約】【課題】水中でも施工性がよく、施工精度にも優れるコンクリート製構造物の壁面補修用構成体及び壁面補修工法を提供する【解決手段】水底の地盤５１に設置した基礎ブロック５と、該基礎ブロック５に下端側が連結されて起立し、防波堤５２の壁面５２Ａを覆う鋼矢板５３との間に空間Ｓを形成する永久パネル２は、上端部から横方向に突出して防波堤５２の上端側に係止されたパネル支持体４によって支持されている。空間Ｓに臨んでパネル支持体４に形成したモルタル注入口４Ａから空間Ｓに充填したモルタルが硬化することによりコンクリート層８が形成される。【選択図】図１
2018145752.tif 000002
【特許請求の範囲】
【請求項１】
コンクリート製構造物の壁面補修用構成体であって、水底地盤に設置する基礎ブロックと、該基礎ブロックに下端側を連結して起立し、前記構造物の壁面との間に空間を形成する永久パネルと、該永久パネルの上端部から横方向に突出して前記構造物の上端側に係止するパネル支持体と、前記空間に臨んで該パネル支持体に形成したモルタル注入口と、該モルタル注入口から前記空間に充填したモルタルの硬化により形成されるコンクリート層とからなるコンクリート製構造物の壁面補修用構成体。
【請求項２】
前記基礎ブロックと前記永久パネルは、凹凸嵌合により連結してある請求項１記載のコンクリート製構造物の壁面補修用構成体。
【請求項３】
前記壁面は被覆鋼板で覆ったものであり、前記空間は該被覆鋼板と前記永久パネルとにより形成してあることを特徴とする請求項１記載のコンクリート製構造物の壁面補修用構成体。
【請求項４】
前記基礎ブロックには、水平状態に設定するための水平調整具を設けてあることを特徴とする請求項１記載のコンクリート製構造物の壁面補修用構成体。
【請求項５】
前記永久パネルは、前記コンクリート層を支持するためのあり溝を内面に形成してあることを特徴とする請求項１記載のコンクリート製構造物の壁面補修用構成体。
【請求項６】
前記コンクリート層は、前記壁面及び／又は前記永久パネルに突設する複数の差筋アンカーによって支持してあることを特徴とする請求項１記載のコンクリート製構造物の壁面補修用構成体。
【請求項７】
前記パネル支持体は、前記永久パネルと一体に形成してあることを特徴とする請求項１記載のコンクリート製構造物の壁面補修用構成体。
【請求項８】
コンクリート製構造物の壁面補修工法であって、前記構造物の補修壁面を含む壁面の下端に位置する水底地盤を整地する工程と、整地した水底地盤に基礎ブロックを設置する工程と、上端側を前記構造物に係止し下端側を該基礎ブロックに連結することにより、前記壁面との間に空間を存して永久パネルを立設する工程と、該空間に上方からモルタルを充填してコンクリート層を形成する工程とからなるコンクリート製構造物の壁面補修工法。
【請求項９】
コンクリート製構造物の壁面補修工法であって、前記構造物の補修壁面を含む壁面の下方に位置する水底地盤を整地する工程と、上端部のパネル支持体を該構造物に支持させ、該壁面との間に空間を形成する状態に永久パネルを配置する工程と、整地した水底地盤に基礎ブロックを設置して該永久パネルの下端側と連結する工程と、前記空間に上方からモルタルを充填してコンクリート層を形成する工程とからなるコンクリート製構造物の壁面補修工法。
【請求項１０】
前記基礎ブロックと前記永久パネルは、凹凸嵌合により連結することを特徴とする請求項９又は１０記載のコンクリート製構造物の壁面補修工法。
【請求項１１】
前記壁面を被覆鋼板で覆うことにより、前記空間は該被覆鋼板と前記永久パネルとにより形成してあることを特徴とする請求項９又は１０記載のコンクリート製構造物の壁面補修工法。
【請求項１２】
前記基礎ブロックは、水平調整具によって水平状態に設定可能であることを特徴とする請求項９又は１０記載のコンクリート製構造物の壁面補修工法。
【発明の詳細な説明】
【技術分野】
【０００１】
本発明は、防波堤、岸壁、護岸等のコンクリート製構造物の水没している壁面（水中壁面）の損壊の補修に用いるコンクリート製構造物の壁面補修用構成体及び壁面補修工法に関する。
【背景技術】
【０００２】
例えば、港湾に設置するコンクリート製の防波堤は、コンクリートの経年劣化により、また波力や流氷の衝突によって、その水中壁面が次第に損壊する。また、該水中壁面を鋼矢板で囲繞している場合も同様で、上述の理由の他に腐食等によっても該鋼矢板が損壊する。防波堤をこの状態のまま放置すると、損壊が次第に拡大して防波堤としての強度性が損なわれる事態に至る。
【０００３】
そこで、従来からその補修方法として、損壊した壁面に対して空隙を介してプレキャストコンクリートパネルを複数設置し、その空隙にコンクリート、モルタル、セメントペーストなどの一般的なセメント系材料等を注入して壁面とパネルを一体化させる工法（パネル設置工法）が行われている（特許文献１）。
【先行技術文献】
【特許文献】
【０００４】
【特許文献１】特開２００９−１５５９４２
【発明の概要】
【発明が解決しようとする課題】
【０００５】
この工法において、パネルは少なくとも構造物の損壊した壁面を被覆できるだけの高さを有する重量物であるため安定性に欠け、さらに設置する際に水中で繰り返し流体から圧力を受けるため、地盤にパネルを安定的にかつ精度をもって設置することは容易でない。特に、海中にパネルを設置する場合には、波が施工に大きく影響するため、施工性や施工の精度が大きな問題となる。しかも、施工に長期間を要する問題がある。
【０００６】
そこで従来は、パネルの安定性を確保するために、例えば複数のアンカーボルトによりパネルを壁面に固定する方法が行われている。しかしながら、この方法では固定が完了するまでに多くの工程を要する上、作業は水中で行うことから、施工に多くの時間を要するという問題がある。
【０００７】
本発明は上述した従来技術の問題点に鑑みなされたもので、重量のある永久パネルの軽量化を図ることで、水中でも施工性がよく、施工精度にも優れるコンクリート製構造物の壁面補修用構成体及び壁面補修工法を提供することを目的とする。ここで、コンクリート製構造物は、水路構造物、治水構造物、利水構造物、河川構造物、岸構造物、港湾構造物、海洋構造物などを意味する。
【課題を解決するための手段】
【０００８】
（１）上述した課題を解決するために構成した請求項１に係る本発明は、コンクリート製構造物の壁面補修用構成体であって、水底地盤に設置する基礎ブロックと、該基礎ブロックに下端側を連結して起立し、前記構造物の壁面との間に空間を形成する永久パネルと、該永久パネルの上端部から横方向に突出して前記構造物の上端側に係止するパネル支持体と、前記空間に臨んで該パネル支持体に形成したモルタル注入口と、該モルタル注入口から前記空間に充填したモルタルの硬化により形成されるコンクリート層とからなるコンクリート製構造物の壁面補修用構成体に関する。
（２）そして、前記基礎ブロックと前記永久パネルは、凹凸嵌合により連結するとよい。
（３）また、前記壁面は被覆鋼板で覆ったものであり、前記空間は該被覆鋼板と前記永久パネルとにより形成してあるとよい。
（４）また、前記基礎ブロックには、水平状態に設定するための水平調整具を設けてあるとよい。
（５）また、前記永久パネルは、前記コンクリート層を支持するためのあり溝を内面に形成するとよい。
（６）また、前記コンクリート層は、前記壁面及び／又は前記永久パネルに突設する複数の差筋アンカーによって支持してあるとよい。
（７）また、前記パネル支持体は、前記永久パネルと一体に形成してあるとよい。
（８）さらに、上述した課題を解決するために構成した請求項９に係る本発明は、コンクリート製構造物の壁面補修工法であって、前記構造物の補修壁面を含む壁面の下端に位置する水底地盤を整地する工程と、整地した水底地盤に基礎ブロックを設置する工程と、上端側を前記構造物に係止し下端側を該基礎ブロックに連結することにより、前記壁面との間に空間を存して永久パネルを立設する工程と、該空間に上方からモルタルを充填してコンクリート層を形成する工程とからなる。
（９）さらに、上述した課題を解決するために構成した請求項１０に係る本発明は、コンクリート製構造物の壁面補修工法であって、前記構造物の補修壁面を含む壁面の下方に位置する水底地盤を整地する工程と、上端部のパネル支持体を該構造物に支持させ、該壁面との間に空間を形成する状態に永久パネルを配置する工程と、整地した水底地盤に基礎ブロックを設置し、該永久パネルの下端側と連結する工程と、前記空間に上方からモルタルを充填してコンクリート層を形成する工程とからなる。
（１０）そして、前記基礎ブロックと前記永久パネルは、凹凸嵌合により連結するとよい。
（１１）また、前記壁面を被覆鋼板で覆うことにより、前記空間は該被覆鋼板と前記永久パネルとにより形成してあるとよい。
（１２）また、前記基礎ブロックは、水平調整具によって水平状態に設定可能であるとよい。
【発明の効果】
【０００９】
本発明は上述の如く構成したから、下記の諸効果を奏する。
（１）永久パネルは、下端部に基礎ブロックを連結して支持する構成にすることで軽量化を図ったから、永久パネルは容易に安定的に設置することができ、施工性や施工精度が向上する。
（２）永久パネルは、上端側に設けたパネル支持体を構造物の上端側に係止する構成にしたから、設置作業が容易であるし、強固に設置することができ、施工性に優れているし、施工精度を高めることができる。
（３）永久パネルと基礎ブロックは、単純な構造の凹凸嵌合により連結する構成にしたから、施工性を高めて施工期間を短くすることができるし、各部材の形状の単純化により製造コストを抑制できる。
（４）防波堤の損傷壁面を被覆する被覆鋼板が損傷した場合でもコンクリート層で被覆する構成にしたから、損傷した被覆鋼板を取り外す必要が無いので、コスト・工期を節減できる。
（５）基礎ブロックは、水平調整具によって略水平の状態に調整できる構成にしたから、整地が容易でない水中の地盤でも、永久パネルを略垂直に起立させることができ、施工精度を高めることができる。
（６）永久パネルの内面にあり溝を形成することにより、永久パネルはコンクリート層に強固に固着して剥離し難くしたから、補修後の壁面の強度性を高めることができる。
（７）コンクリート層は壁面及び／又は永久パネルに突設する複数の差筋アンカーによって支持する構成にしたから、相互に強固に固着することにより、補修後の壁面の強度性を高めることができる。
【図面の簡単な説明】
【００１０】
【図１】本発明の実施の形態に係る壁面補修用構成体の全体構成を示す縦断面図である。
【図２】基礎ブロックの背面側斜視図である。
【図３】基礎ブロックの正面図である。
【図４】図３中のIV−IV矢示方向断面図である。
【図５】図３中のV−V矢示方向断面図である。
【図６】図４中のVI−VI矢示方向断面図である。
【図７】図１中のVII−VII矢示方向断面図である。
【図８】永久パネルと基礎ブロックの連結方法に関する変形例１の図面であり、（ａ）は基礎ブロックを断面で示した側面図、（ｂ）は（ａ）中のVIII−VIII矢示方向断面図である。
【図９】永久パネルと基礎ブロックの連結方法に関する変形例２の図面であり、（ａ）は基礎ブロックを断面で示した側面図、（ｂ）は（ａ）中のIX−IX矢示方向断面図である。
【図１０】永久パネルと基礎ブロックの連結方法に関する変形例３の図面であり、（ａ）は基礎ブロックを断面で示した側面図、（ｂ）は（ａ）中のX−X矢示方向断面図である。
【図１１】永久パネルと基礎ブロックの連結方法に関する変形例４の図面であり、（ａ）は基礎ブロックを断面で示した側面図、（ｂ）は（ａ）中のXI−XI矢示方向断面図である。
【発明を実施するための形態】
【００１１】
以下、本発明に係る実施の形態について、コンクリート製構造物として防波堤に用いる場合を例に挙げ、添付図面を参照しながら説明する。
【００１２】
図１、２を参照して、壁面補修用構成体１の全体構成について説明する。図において、５１は海底の地盤、５２は該地盤５１上に構築した防波堤で、該防波堤５２に前記壁面補修用構成体１を設置するものである。防波堤５２は壁面５２Ａが波力の衝撃、氷塊の衝突、コンクリートの劣化等により次第に損傷することから、該壁面５２Ａは略全面に鋼矢板５３を列設して被覆して補修してある。該鋼矢板５３は下端側５３Ａを地盤５１に埋設し、上端側５３Ｂは防波堤５２の上端側にコンクリートを打設して設けた支持ブロック５２Ｂに埋設することにより配設してある。
【００１３】
しかし、このように防波堤５２の補修のために設置した鋼矢板５３も水没している部分は、防波堤５２と同様に海水による腐食、波力の衝撃、氷塊の衝突等によって損壊して補修が必要な状態になる。そこで、以下に鋼矢板５３の損傷した補修壁面５３Ｃを補修するための壁面補修用構成体１について説明する。なお、壁面補修用構成体１は、鋼矢板５３を設けていない防波堤５２の壁面５２Ａの補修にも同様に用いることができるものである。
【００１４】
壁面補修用構成体１は、コンクリート製の永久パネル２と、該永久パネル２の下端側に連結する同じくコンクリート製の基礎ブロック５と、補修壁面５３Ｃに一体的に固着するコンクリート層８（図７）とで構成してある。
【００１５】
永久パネル２は、例えば高さが約５ｍ、横幅が約１ｍの縦長板状のパネル本体３と、該パネル本体３の上端部から横方向に約１ｍ程度突出形成したパネル支持体４とで構成した縦断面逆Ｌ字状の形状からなり、パネル支持体４にはモルタル注入口４Ａが形成してある。そして、永久パネル２は、パネル本体３の下端面３Ａを接地して海底の地盤５１上に起立した状態で補修壁面５３Ｃから一定の距離離間して対向するように設置され、補修後は補修壁面５３Ｃに代わって防波堤５２の新たな壁面を構成するものである。
【００１６】
パネル本体３には、下端側中央に横長の四角形状の連結穴３Ｂが形成してあり、後述するように該連結穴３Ｂに基礎ブロック５を連結するものである。また、パネル本体３には、補修壁面５３Ｃと対向する内面３Ｃに縦方向のあり溝３Ｄが左右に適宜の間隔で複数設けてある（図７）。
また、本実施の形態では、パネル支持体４は永久パネル２と一体で形成したが、別体として永久パネル２に取り付けてあってもよい。
【００１７】
永久パネル２は上述の構成からなるが、パネル本体３には、縦方向と横方向に離間して本件出願人の製品であるモルタル製ボルト（登録商標ボルモ）３Ｅ、３Ｅ…が表面側から螺入して先端側を内面３Ｃに突出させた状態で設けてある。
なお、ボルト３Ｅの材料のモルタルには、例えば「高強度スラグと炭素繊維等の強化繊維を混入してなるポリマーセメントモルタル」（商品名「エフモル」（登録商標））等、耐塩害性、化学抵抗性及びひび割れ抵抗性に優れたものを用いることが望ましい。
【００１８】
ついで、図２〜６を参照してコンクリート製の基礎ブロック５について詳細に説明する。  基礎ブロック５は、永久パネル２を地盤５１上で起立した状態に支持するためのものであり、図２に示すように、地盤５１に接地する平面視矩形状のブロック本体６と、該ブロック本体６の一端面に突設した断面矩形状の連結突部７とで構成してある。ブロック本体６には、平面視略中央に断面四角形状の充填穴６Ａを形成し、下面６Ｂには、短手方向中央において充填穴６Ａに連通する凹溝６Ｃを長手方向に形成してあり、該凹溝６Ｃを形成することでブロック本体６には一対の脚部６Ｄ、６Ｄが隔設してある。
【００１９】
図５、６に示すように、該各脚部６Ｄ、６Ｄには、高さ方向に貫通する軸挿通穴６Ｅが、基礎ブロック５の長手方向に離間して２箇所形成してある。さらに、該軸挿通穴６Ｅはいずれも、その上端側に六角形のナット嵌合穴６Ｆが同軸に形成してある。
【００２０】
基礎ブロック５にはさらに、不整地の地盤５１に対して略水平状態に調整するための水平調整具６Ｇが設けてある。該水平調整具６Ｇは、ブロック本体６の軸挿通穴６Ｅ、６Ｅ…に回動可能に挿通した水平調整軸６Ｇ１、６Ｇ１…と、ナット嵌合穴６Ｆ、６Ｆ…に嵌着して水平調整軸６Ｇ１、６Ｇ１…が螺合するナット６Ｇ２、６Ｇ２…とから構成してある。そして、嵌着した該ナット６Ｇ２、６Ｇ２…に水平調整軸６Ｇ１、６Ｇ１…を上方から螺合して回動することにより、水平調整軸６Ｇ１、６Ｇ１…は基礎ブロック５の下面６Ｂから出入し、地盤５１に対して基礎ブロック５を略水平状態に調整することができるようになっている。
【００２１】
なお、水平調整軸６Ｇ１及びナット６Ｇ２はモルタル製で、例えば上述の「エフモル」（登録商標）を用いることで強度性、耐久性を持たせてある。
【００２２】
本実施の形態の基礎ブロック５は上述の構成からなり、図１に示すように、連結突部７を永久パネル２の連結穴３Ｂに挿通して支持することで、永久パネル２は補修壁面５３Ｃに対向して上端はパネル支持体４により、下端は基礎ブロック５によって支持されており、補修壁面５３Ｃとの間に空間Ｓが形成されている。
【００２３】
コンクリート層８は、補修壁面５３Ｃに永久パネル２を一体的に固着すると共に、補修壁面５３Ｃを被覆するための充填部材である。上述のとおり、永久パネル２は補修壁面５３Ｃから離間して設置することにより、両者の間には空間Ｓが画成してあり、該空間Ｓに永久パネル２のパネル支持体４に形成したモルタル注入口４Ａからモルタルを圧入充填し、これが硬化することでコンクリート層８が形成される。そして、コンクリート層８が接合部材となって、補修壁面５３Ｃに壁面補修用構成体１が一体的に固着し、かつ補修壁面５３Ｃを被覆する。なお、図１は空間Ｓにモルタルが充填される前の状態を示しており、コンクリート層８は図示していない。
【００２４】
ここで、防波堤５２の鋼矢板５３には金属製のスタッドジベル５４が溶接等により空間Ｓに向かって同様に複数突設してある。上述のとおり空間Ｓにモルタルを充填して硬化させると、前記ボルト３Ｅ及びスタッドジベル５４の空間Ｓに突出する部位がコンクリート層８に埋設した状態になるため、コンクリート層８が補修壁面５３Ｃ及び永久パネル２に強固に固着し、これらが剥離するのを防止する。
【００２５】
本実施の形態に係る壁面補修用構成体１の構成は以上のとおりであり、次にその施工方法及び作用について説明する。
【００２６】
まず、防波堤５２を被覆する鋼矢板５３を検査して補修壁面５３Ｃの状態を確認し、海藻等の不要な付着物を除去する。次に、補修壁面５３Ｃの下方の海底の地盤５１を掘削し、出来るだけ水平状態に整地してクレーンで永久パネル２を設置する。この際、本実施の形態においては、永久パネル２が鋼矢板５３から約３００ｍｍ離間した状態で対向するように永久パネル２を位置決めし、モルタル製の支持ボルト４Ｂを用いて防波堤５２の支持ブロック５２Ｂの上面にパネル支持体４を締着して、永久パネル２を防波堤５２に固定する。同様の手順で、補修壁面５３Ｃの横方向の幅に応じて適宜の数の永久パネル２をできる限り密接した状態で列設する。パネル支持体４の固定方法は、支持ボルト４Ｂを用いる他、金属系のアンカーを用いたり、セメント系材料で一体化する等、コンクリート製構造物の構造や設置場所に応じて種々の方法を選択することが可能である。
【００２７】
永久パネル２を設置したら、上述のとおり基礎ブロック５の連結突部７を永久パネル２の連結穴３Ｂに挿通することで、基礎ブロック５と永久パネル２を連結する。該基礎ブロック５の設置にあたっては、地盤５１の整地は海底での水中作業で完全に平坦な面に整えることは困難であるため、各水平調整具６Ｇ、６Ｇ…の水平調整軸６Ｇ１、６Ｇ１…を回動して上下動させることで基礎ブロック５が略水平になるように調整を行う。
【００２８】
基礎ブロック５を水平状態に調整したら、基礎ブロック５の周囲を埋めるようにモルタルを充填して、硬化した間詰めコンクリートＭで地盤５１と略面一の状態にする。このとき、充填したモルタルが基礎ブロック５の充填穴６Ａ及び凹溝６Ｃに流入し、周囲のモルタルと一体に硬化することで、基礎ブロック５は間詰めコンクリートＭに埋没した状態で地盤５１に強固に固着し、これと連結する永久パネル２も地盤５１に対し強固に設置される。
【００２９】
こうして永久パネル２と基礎ブロック５を設置することで、永久パネル２と補修壁面５３Ｃとの間には上述のとおり幅が約３００ｍｍのモルタル充填用の空間Ｓが画成される。該空間Ｓに永久パネル２のパネル支持体４のモルタル注入口４Ａから水中不分離性モルタルを充填して、補修壁面５３Ｃを含む鋼矢板５３を被覆した状態で硬化させる。
【００３０】
モルタルの硬化により形成されたコンクリート層８は、上述のとおり複数本のボルト３Ｅ、スタッドジベル５４が埋設された状態になるため、これらが差筋アンカーとして作用し、補修壁面５３Ｃ及び永久パネル２に密着した状態になり剥離することがない。また、上述のとおりパネル本体３の内面３Ｃにあり溝３Ｄを設けてあるため、図７に示すとおり、空間Ｓに充填されたモルタルが該あり溝３Ｄに入り込んだ状態で硬化することで、コンクリート層８と永久パネル２はさらに強固に固着される。
【００３１】
なお、列設された永久パネル２のうち両端に位置するものについては、充填されたモルタルが側方から流出するのを防ぐために側壁（図示せず）が設けてあり、空間Ｓは平面視で左右両端が略閉じられた領域となっている。
【００３２】
上述のようにコンクリート層８を硬化させ、補修壁面５３Ｃに壁面補修用構成体１を固着することにより、補修作業は完了する。本実施の形態においては、永久パネル２をその下端側に基礎ブロック５を連結した状態で海底に設置すること、また、パネル支持体４を防波堤５２に固定することで、永久パネル２を海中の地盤５１上に少ない工数で強固に設置でき、補修に係る施工性及び施工の精度が高まる。また、永久パネル２と基礎ブロック５を、連結穴３Ｂと連結突部７という凹凸形状の部位を組合せて嵌合する単純な構成としたため、水中でも両部材を容易に連結することができ、また、各部材の構成の単純化により製造コストを抑えることができる。
【００３３】
次に、図８〜図１１を参照して、永久パネル２と基礎ブロック５の連結（凹凸嵌合）方法の変形例を説明する。
【００３４】
（第１の変形例）
図８（ａ）及び（ｂ）に示すように、第１の変形例に係る連結方法において、永久パネル１１を構成するパネル本体１２には、第１の実施の形態の連結穴３Ｂの代わりに、パネル本体１２の前面下端側に突部１２Ａが設けてある。また、基礎ブロック１３には一端面に該突部１２Ａに対応する凹部１３Ａが設けてあり、突部１２Ａを凹部１３Ａに内挿することで永久パネル１１と基礎ブロック１３を連結するように構成してある。
【００３５】
（第２の変形例）
図９（ａ）及び（ｂ）に示すように、第２の変形例に係る連結方法において、永久パネル２１を構成するパネル本体２２には、下端面に突部２２Ａが突設してある。また、基礎ブロック２３には一端側に該突部２２Ａに対応する挿入穴２３Ａが縦方向に設けてあり、突部２２Ａを挿入穴２３Ａに内挿することで永久パネル２１と基礎ブロック２３を連結するように構成してある。
【００３６】
（第３の変形例）
図１０（ａ）及び（ｂ）に示すように、第３の変形例に係る連結方法において、永久パネル３１を構成するパネル本体３２には、前面下端側に突部３２Ａが突設してある。また、基礎ブロック３３には、下面の一端側に該突部３２Ａに対応する係合凹溝３３Ａが設けてあり、突部３２Ａを係合凹溝３３Ａに嵌合して係合させることで永久パネル３１と基礎ブロック３３を連結するように構成してある。
【００３７】
（第４の変形例）
図１１（ａ）及び（ｂ）に示すように、第４の変形例に係る連結方法において、永久パネル４１は縦長の平板からなり、該永久パネル４１を支持する基礎ブロック４２には、上面４２Ａの一端側に永久パネル４１の下端部４１Ａの形状に対応する係合凹溝４２Ｂが設けてあり、該係合凹溝４２Ｂに永久パネル４１の下端部４１Ａを嵌入して係合させることで永久パネル４１と基礎ブロック４２を連結するように構成してある。
【００３８】
なお、上述の変形例の基礎ブロック１３、２３、３３、４２には、第一の実施の形態と同様に充填穴６Ａ及び凹溝６Ｃを設けてモルタルＭにより地盤５１に固定してもよい。
【００３９】
以上、本発明の好適な実施の形態について説明したが、本発明はその特定の実施の形態に限定されるものではなく、本発明の技術思想の範囲内で種々の変形が可能であることはいうまでもない。
【符号の説明】
【００４０】
１      壁面補修用構成体
２      永久パネル
４      パネル支持体
４Ａ    モルタル注入口
５      基礎ブロック
８      コンクリート層
５１    地盤
５２    壁面
Ｓ      空間
【図１】
2018145752.tif 000003
【図２】
2018145752.tif 000004
【図３】
2018145752.tif 000005
【図４】
2018145752.tif 000006
【図５】
2018145752.tif 000007
【図６】
2018145752.tif 000008
【図７】
2018145752.tif 000009
【図８】
2018145752.tif 000010
【図９】
2018145752.tif 000011
【図１０】
2018145752.tif 000012
【図１１】
2018145752.tif 000013